(57)【要約】【課題】  映像出力装置が複数のメニュー画面を有する場合であっても、適当なメニュー画面を出力させることのできる映像出力装置及び表示装置を提供する。【解決手段】  表示装置３は、コマンド送受信部３３から映像出力装置２に対し、メニュー画面のリストを要求する（Ｓ４０１）。映像出力装置２は、それに対してメニュー画面のリストを制御コマンドとしてコマンド送受信部２３が表示装置３へ応答する（Ｓ４０２）。メニュー画面リストを示す制御コマンドを受信すると、表示装置３は受信したメニュー画面の一覧を示すメニュー一覧画面を作成してユーザに提示し、選択を促す（Ｓ４０３）。ユーザがメニュー一覧画面７０のアイコンのうち１つを選択すると（Ｓ４０４）、表示装置３のコマンド送受信部３３は、映像出力装置２に対して選択したメニュー画面の出力を要求する（Ｓ４０５）。【選択図】      図４
2008089887.tif 000002
【特許請求の範囲】
【請求項１】
映像出力装置と通信する表示装置であって、
前記映像出力装置が出力可能な画面のリストを制御コマンドとして受信する制御信号受信部と、
前記制御信号受信部で受信した画面のリストに基づき、画面一覧を表示する表示部と、
前記画面のリストの中から選択された画面の出力要求を制御コマンドとして送信する制御信号送信部と、
前記制御信号送信部から要求した画面を映像信号として受信する映像信号入力部と
を備えることを特徴とする表示装置。
【請求項２】
前記制御信号受信部、前記制御信号送信部、及び前記映像信号入力部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）により前記映像出力装置と通信し、
前記制御信号受信部及び前記制御信号送信部は、ＨＤＭＩ  ＣＥＣ（Ｃｏｎｓｕｍｅｒ  Ｅｌｅｃｔｏｒｏｎｉｃｓ  Ｃｏｎｔｒｏｌ）の信号線を介して制御コマンドを通信すること
を特徴とする請求項1記載の表示装置。
【請求項３】
映像出力装置と通信する表示装置であって、
複数の操作ボタンを有するリモートコントローラと通信するリモコン通信部と、
前記映像出力装置が出力可能な画面のリストを制御コマンドとして受信する制御信号受信部と、
前記制御信号受信部で受信したリスト内の其々の画面を、前記リモートコントローラが有する其々の前記操作ボタンと対応付ける制御部と、
前記リモートコントローラの操作により選択された画面の出力を制御コマンドとして前記映像出力装置に要求する制御信号送信部と、
前記制御信号送信部から要求した画面を前記映像出力装置から映像信号として受信する映像信号入力部と、
前記映像信号入力部で受信した映像信号に基づいて画面を表示する表示部と
を備えることを特徴とする表示装置。
【請求項４】
前記制御信号受信部、前記制御信号送信部、及び前記映像信号入力部は、ＨＤＭＩにより前記映像出力装置と通信し、
前記制御信号受信部及び前記制御信号送信部は、ＨＤＭＩ  ＣＥＣの信号線を介して制御コマンドを通信すること
を特徴とする請求項３記載の表示装置。
【請求項５】
出力可能な画面のリストを制御コマンドとして前記表示装置へ送信する制御信号送信部と、
前記制御信号送信部で送信した画面のリストのうちの１の画面の出力要求を制御コマンドとして前記表示装置から受信する制御信号受信部と、
前記制御信号受信部で受信した出力要求で指定された画面を映像信号として出力する映像信号出力部と
を備えることを特徴とする映像出力装置。
【請求項６】
前記制御信号送信部、前記制御信号受信部、及び前記映像信号出力部は、ＨＤＭＩにより前記表示装置と通信すること
前記制御信号送信部及び前記制御信号受信部は、ＨＤＭＩ  ＣＥＣの信号線を介して制御コマンドを通信すること
を特徴とする請求項５記載の映像出力装置。
【発明の詳細な説明】
【技術分野】
【０００１】
本発明は、映像信号を出力する映像出力装置及び映像を表示する表示装置に関する。
【背景技術】
【０００２】
近年、映像出力装置や表示装置等の間を接続するインタフェースとして、ＨＤＭＩ（Ｈｉｇｈ−Ｄｉｆｉｎｉｔｉｏｎ  Ｍｕｌｔｉｍｅｄｉａ  Ｉｎｔｅｒｆａｃｅ）が普及しつつある（例えば、非特許文献１参照）。
【０００３】
ＨＤＭＩでは、各機器間をお互いに制御するために、ＣＥＣ（Ｃｏｎｓｕｍｅｒ  Ｅｌｅｃｔｒｏｎｉｃｓ  Ｃｏｎｔｒｏｌ）と呼ばれる制御機器信号及び制御プロトコルが規格化されている。
【０００４】
特に、ＨＤＭＩ  ＣＥＣでは、Ｄｅｖｉｃｅ  Ｍｅｎｕ  Ｃｏｎｔｒｏｌと呼ばれる機能が規定されている。Ｄｅｖｉｃｅ  Ｍｅｎｕ  Ｃｏｎｔｒｏｌでは、ＴＶから被制御機器のメニュー画面の表示／非表示の切換えや、メニュー画面上の操作コマンドについて定義されている。
【非特許文献１】Ｈｉｔａｃｈｉ，Ｌｔｄ．、他６社、“Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３”、［ｏｎｌｉｎｅ］、２００６年６月２２日、ＨＤＭＩ  Ｌｉｃｅｎｓｉｎｇ，ＬＬＣ、［平成１８年９月２３日検索］、インターネット（ＵＲＬ：http://www.hdmi.org/）
【発明の開示】
【発明が解決しようとする課題】
【０００５】
しかしながら、従来のＨＤＭＩ  ＣＥＣのＤｅｖｉｃｅ  Ｍｅｎｕ  Ｃｏｎｔｒｏｌでは、被制御機器が複数のメニュー画面を有する場合に、その中からどのメニュー画面を表示するのかを選択することができなかった。よってユーザはまず被制御機器である映像出力装置のリモコン等を用いて希望のメニュー画面の表示を行い、その後表示装置のリモコンに持ち替えて映像出力装置を制御する必要があった。
【０００６】
そこで本発明は、映像出力装置が複数のメニュー画面を有する場合であっても、適当なメニュー画面を出力させることのできる映像出力装置及び表示装置を提供することを目的とする。
【課題を解決するための手段】
【０００７】
上記目的を達成するために、請求項１記載の表示装置は、映像出力装置と通信する表示装置であって、前記映像出力装置が出力可能な画面のリストを制御コマンドとして受信する制御信号受信部と、前記制御信号受信部で受信した画面のリストに基づき、画面一覧を表示する表示部と、前記画面のリストの中から選択された画面の出力要求を制御コマンドとして送信する制御信号送信部と、前記制御信号送信部から要求した画面を映像信号として受信する映像信号入力部とを備えることを特徴とする。
【０００８】
請求項３記載の表示装置は、映像出力装置と通信する表示装置であって、複数の操作ボタンを有するリモートコントローラと通信するリモコン通信部と、前記映像出力装置が出力可能な画面のリストを制御コマンドとして受信する制御信号受信部と、前記制御信号受信部で受信したリスト内の其々の画面を、前記リモートコントローラが有する其々の前記操作ボタンと対応付ける制御部と、前記リモートコントローラの操作により選択された画面の出力を制御コマンドとして前記映像出力装置に要求する制御信号送信部と、前記制御信号送信部から要求した画面を前記映像出力装置から映像信号として受信する映像信号入力部と、前記映像信号入力部で受信した映像信号に基づいて画面を表示する表示部とを備えることを特徴とする。
【０００９】
請求項５記載の映像出力装置は、出力可能な画面のリストを制御コマンドとして前記表示装置へ送信する制御信号送信部と、前記制御信号送信部で送信した画面のリストのうちの１の画面の出力要求を制御コマンドとして前記表示装置から受信する制御信号受信部と、前記制御信号受信部で受信した出力要求で指定された画面を映像信号として出力する映像信号出力部とを備えることを特徴とする。
【発明の効果】
【００１０】
本発明によれば、映像出力装置が複数のメニュー画面を有する場合であっても、適当なメニュー画面を出力させることのできる映像出力装置及び表示装置を提供することができる。
【発明を実施するための最良の形態】
【００１１】
以下、本発明の映像出力装置及び表示装置について、図面を参照しながら説明する。
【実施例１】
【００１２】
図１は、本発明の実施例に係る映像出力装置及び表示装置が使用される通信システムの構成を示す図である。通信システム１は、映像出力装置２と、表示装置３とから構成され、両者はＨＤＭＩ信号線４で接続される。
【００１３】
映像出力装置２は、例えばＤＶＤ（Ｄｉｇｉｔａｌ  Ｖｅｒｓａｔｉｌｅ  Ｄｉｓｋ）プレーヤ、セットトップボックス（ＳＴＢ）、記録再生装置等であり、表示装置３は、例えばデジタルテレビ等である。両者はＨＤＭＩ端子を有しているものとする。
【００１４】
映像出力装置２は、ＤＶＤ等の記憶媒体に記憶されたデータや、アンテナから入力される放送波から得られる映像信号や音声信号を、ＨＤＭＩ信号線４を介して表示装置３に出力する。表示装置３は映像出力装置２から出力された映像を表示することができる。
【００１５】
また表示装置３は、ユーザが操作するリモコン３ａから操作信号を受信することができる。表示装置３は、この操作信号に基づいてＨＤＭＩ  ＣＥＣ（以下単にＣＥＣとも称す）に基づく制御コマンドを映像出力装置２に送信することにより、例えば映像出力装置２にメニュー画面を出力させる等の各種制御を行うことができる。ここで映像出力装置は、複数のメニュー画面を出力することができるものとする。
【００１６】
尚、本実施形態ではユーザが操作入力する入力インタフェースとして表示装置３とは分かれたリモコン３ａを使用しているがこれに限られるものではなく、例えば表示装置３の本体に設けられた操作ボタンを入力インタフェースとして用いても良い。
【００１７】
図２は、本実施例における映像出力装置２の概略構成を示すブロック図である。映像出力装置２は、メイン処理部２１、映像送信部２２、コマンド送受信部２３から構成される。メイン処理部２１、映像送信部２２、コマンド送受信部２３は、其々制御線（Ｉ２Ｃ  Ｂｕｓ）を介して接続されている。
【００１８】
メイン処理部２１は、例えば記憶媒体（図示せず）に記録されたデータを再生して得られる映像信号や音声信号、或いはメニュー画面を作成して映像信号に重畳して映像線から映像送信部２２に出力する機能を有する。
【００１９】
また、メイン処理部２１はコマンド送受信部２３による表示装置３との制御コマンドの送受信を制御する。
メイン処理部２１で処理された映像信号は、先述の通り映像線を介して映像送信部２２に入力され、ＨＤＭＩ信号線４を構成する映像送信線４ａ（ＴＭＤＳ：Ｔｒａｎｓｉｔｉｏｎ  Ｍｉｎｉｍｉｚｅｄ  Ｄｉｆｆｅｒｅｎｔｉａｌ  Ｓｉｇｎａｌｉｚｉｎｇ）から表示装置３へ出力される。
【００２０】
コマンド送受信部２３は、先述の通りメイン処理部２１からの制御の下、ＨＤＭＩ信号線４を構成するコマンド送受信線４ｃを介してＣＥＣの制御コマンドを送受信する。特に、自身が出力可能なメニュー画面のリストを制御コマンドとして送信する機能を有する。詳細は図４等を参照しながら後述する。
【００２１】
また、映像信号の送信及び制御コマンドの送受信に必要な物理アドレスは、ＨＤＭＩ信号線４を構成するアドレス受信線４ｂを介して決定される。
図３は、本実施例における表示装置３の概略構成を示すブロック図である。表示装置３は、メイン処理部３１、リモコン通信部３２、コマンド送受信部３３、映像受信部３４、表示部３５から構成される。メイン処理部３１、コマンド送受信部３３、映像受信部３４は、制御線（Ｉ２Ｃ  Ｂｕｓ）を介して接続されている。
【００２２】
メイン処理部３１は、コマンド送受信部３３による映像出力装置２との制御コマンドの送受信を制御する。特に、リモコン通信部３２で受信したリモコン３ａからの操作信号に基づき、必要に応じてコマンド送受信部３３に制御コマンドを送信させる。
【００２３】
また、メイン処理部３１は、映像出力装置２から制御コマンドとして受信したメニュー画面のリスト情報に基づいてメニュー画面の一覧表示画面を作成し、表示部３５に表示させることができる。この表示画面については、図７を参照しながら後述する。
【００２４】
コマンド送受信部３３は、メイン処理部３１による制御の下、ＨＤＭＩ信号線４を構成するコマンド送受信線４ｃを介してＣＥＣの制御コマンドを送受信する。特に、映像出力装置２が出力可能なメニュー画面のリストの送信要求や、映像出力装置２が出力可能なメニュー画面の中の１のメニュー画面の出力要求を制御コマンドとして送信することができる。
【００２５】
また、メイン処理部３１はコマンド送受信部３３を介して映像受信部３４の制御を行う。ＨＤＭＩ信号線４を構成する映像受信線４ａ（図２では映像送信線４ａとして説明）を介して映像受信部３４に入力された映像信号は、映像線を介して表示部３５に送られ、表示部３５が表示する。
【００２６】
映像信号の受信及び制御コマンドの送受信に必要な物理アドレスは、ＨＤＭＩ信号線４を構成するアドレス送信線４ｂ（図２ではアドレス受信線４ｂとして説明）を介して決定する。
【００２７】
続いて、本通信システム１におけるメニュー画面の選択動作の例を、図４を参照しながら説明する。
まず、表示装置３はコマンド送受信部３３から映像出力２に対し、メニュー画面のリストを要求する（Ｓ４０１）。
図５は、メニュー画面のリストを要求する制御コマンドの例を示す図である。Ｉｎｉｔｉａｔｏｒの４ビットには、制御コマンドを送信する表示装置３の論理アドレスが入り、Ｄｅｓｔｉｎａｔｉｏｎの４ビットには、メニュー画面リストの要求先である映像出力装置２の論理アドレスが入る。
【００２８】
さらに、Ｏｐｃｏｄｅの８ビットに、Ｖｅｎｄｏｒコマンドであることを示す値「０ｘ８９」が入り、Ｏｐｅｒａｎｄ［０］の８ビットに、メニュー画面リストの要求（図５の例では「Ｇｅｔ  Ｄｅｖｉｃｅ  Ｍｅｎｕ  Ｌｉｓｔ」と表記）に対して予め割り当てられたコード「０ｘ０１」が入っている。
【００２９】
なお、メニュー画面リストの要求に対して割り当てられるコードは「０ｘ０１」に限られるものではない（図６、図８の制御コマンドについても同様）。
映像出力装置２は、メニュー画面のリストを要求する制御コマンド（図５）をコマンド送受信部２３で受信すると、それに対してメニュー画面のリストを制御コマンドとしてコマンド送受信部２３が表示装置３へ応答する（Ｓ４０２）。
【００３０】
図６は、映像出力装置２が送信するメニュー画面リスト要求に対する応答である制御コマンドの例を示す図である。Ｉｎｉｔｉａｔｏｒの４ビットには、当該制御コマンドを送信する映像出力装置２の論理アドレスが入り、Ｄｅｓｔｉｎａｔｉｏｎの４ビットには、メニュー画面のリストの送信先である表示装置３の論理アドレスが入る。
【００３１】
さらに、Ｏｐｃｏｄｅの８ビットに、Ｖｅｎｄｏｒコマンドであることを示す値「０ｘ８９」が入り、Ｏｐｒａｎｄ［０］の８ビットに、メニュー画面リスト要求に対する応答（図６の例では「Ｄｅｖｉｃｅ  Ｍｅｎｕ  Ｌｉｓｔ）と表記）に対して予め割り当てられたコード「０ｘ０２」が入っている。
【００３２】
当該制御コマンドは、［Ｔｏｔａｌ］（４ビット、ここではｍとする）で示される回数分送信されるが、［Ｃｏｕｎｔ］（４ビット、ここではｘとする）に、各メニュー画面を識別するためのＩＤの値（１≦ｘ≦ｍ）の値が入り、Ｏｐｅｒａｎｄ［２］以降の［Ｄｅｖｉｃｅ  Ｍｅｎｕ  Ｎａｍｅ］にＩＤに対応するメニュー名である文字列がＡＳＣＩＩ  ＣＯＤＥで入るものとする。
【００３３】
図４のメニュー画面リスト４０例では、映像出力装置２は「見るナビ」（ＩＤ：１）、「録るナビ」（ＩＤ：２）、「番組ナビ」（ＩＤ：３）、「編集ナビ」（ＩＤ：４）、「簡単ナビ」（ＩＤ：５）の計５種類のメニュー画面を出力することができる。
【００３４】
よって、図６に示した制御コマンドは全部で５回送信されることになる（即ち［Ｔｏｔａｌ］の値は５）。［Ｃｏｕｎｔ］の値が１の制御コマンドでは［Ｄｅｖｉｃｅ  Ｍｅｎｕ  Ｎａｍｅ］の文字列は「見るナビ」、［Ｃｏｕｎｔ］の値が２の制御コマンドは［Ｄｅｖｉｃｅ  Ｍｅｎｕ  Ｎａｍｅ］の文字列は「録るナビ」、［Ｃｏｕｎｔ］が３のコマンドは［Ｄｅｖｉｃｅ  Ｍｅｎｕ  Ｎａｍｅ］の文字列は「番組ナビ」、［Ｃｏｕｎｔ］が４のコマンドは［Ｄｅｖｉｃｅ  Ｍｅｎｕ  Ｎａｍｅ］の文字列は「編集ナビ」、［Ｃｏｕｎｔ］が５のコマンドは［Ｄｅｖｉｃｅ  Ｍｅｎｕ  Ｎａｍｅ］の文字列は「簡単ナビ」となる。
【００３５】
図６に例を示したメニュー画面リストを示す制御コマンドを全て（図４の例では５つ）受信すると、表示装置３は受信したメニュー画面の一覧を示すメニュー一覧画面を作成してユーザに提示し、選択を促す（Ｓ４０３）。
【００３６】
図７は、表示装置３のメイン処理部３１が作成し、表示部３５に表示させるメニュー一覧画面の例を示す図である。この例では、其々「見るナビ」「録るナビ」「番組ナビ」「編集ナビ」「簡単ナビ」と記載されたアイコン７１ａ乃至７１ｅがメニュー一覧画面７０上に表示されており、ユーザがリモコン３ａを操作して任意のアイコンを選択できるようになっている。図７の例では「番組ナビ」を示すアイコン７１ｃが選択されている。
【００３７】
ユーザが入力インタフェースであるリモコン３ａを操作してメニュー一覧画面７０のアイコンのうち１つを選択すると（Ｓ４０４）、表示装置３のコマンド送受信部３３は、映像出力装置２に対して選択したメニュー画面の出力を要求する（Ｓ４０５）。
【００３８】
図８は、表示装置３が送信するメニュー画面の出力を要求する制御コマンドの例を示す図である。Ｉｎｉｔｉａｔｏｒの４ビットには、当該制御コマンドを送信する表示装置３の論理アドレスが入り、Ｄｅｓｔｉｎａｔｉｏｎの４ビットには、制御コマンドの送信先である映像出力装置２の論理アドレスが入る。
【００３９】
さらに、Ｏｐｃｏｄｅの８ビットに、Ｖｅｎｄｏｒコマンドであることを示す値「０ｘ８９」が入り、Ｏｐｅｒａｎｄ［０］の８ビットに、メニュー画面の出力要求（図８の例では「Ｓｅｌｅｃｔ  Ｄｅｖｉｃｅ  Ｍｅｎｕ」と表記）に対して予め割り当てられたコード「０ｘ０３」が入っている。
【００４０】
さらに、Ｏｐｅｒａｎｄ［１］に、出力を要求するメニュー画面のＩＤが［Ｃｏｕｎｔ］の４ビットに入る。例えば図７に示したようにユーザが「番組ナビ」を選択した場合には、番組ナビのＩＤに対応する「３」が［Ｃｏｕｎｔ］に入る。
【００４１】
映像出力装置２のメイン処理部２１は要求に従い、メニュー画面を映像信号に重畳して、映像送信部２２から映像送信線４ａを介して表示装置３に伝送する（Ｓ４０６）。
【００４２】
その後表示装置３はリモコン通信部３２で操作信号として受信するユーザからの操作入力に応じて（Ｓ４０７）、必要に応じて制御コマンドをコマンド送信部３３からコマンド送受信線４ｃ経由で映像出力装置２に送信し、映像出力装置２を制御する。
【００４３】
図９は、本実施例における表示装置３の動作を示すフローチャートである。
まず、表示装置３のコマンド送受信部３３はメニュー画面のリストを要求する、図５に例を示した制御コマンドを映像出力装置２に送信する（Ｓ９０１）。
その応答として、メニュー画面のリストを図６に例を示した制御コマンドとして映像出力装置２からコマンド送受信部３３で受信すると（Ｓ９０２）、メイン処理部３１は図７に例を示したメニュー画面の一覧画面を作成して表示部３５に表示させ、ユーザにメニュー画面の選択を促す（Ｓ９０３）
【００４４】
ユーザがリモコン３ａを操作して１の項目を選択すると（Ｓ９０４）、選択されたメニュー画面の出力を要求する図８に例を示した制御コマンドを、コマンド送受信部３３は映像出力装置２に送信する（Ｓ９０５）。
【００４５】
映像出力装置３は当該要求に応じてメニュー画面を映像信号に重畳して出力するので、映像受信部３４から入力される当該メニュー画面の映像を、表示部３５に表示する（Ｓ９０６）。
【００４６】
さらに、リモコン通信部３２で受信するリモコン３ａからの操作信号を確認し（Ｓ９０７）、操作終了であればフローを終了し、そうでなければＳ９０７移行を繰り返す。
【００４７】
図１０は、本実施例における映像出力装置２の動作を示すフローチャートである。
まずコマンド送受信部２３は、図５に例を示したメニュー画面のリストを要求する制御コマンドをコマンド送受信線４ｃからコマンド送受信部２３で受信すると（Ｓ１００１）、それに対して映像出力装置２が出力可能なメニュー画面のリストを、図６に例を示した制御コマンドとしてコマンド送信部２３から送信する（Ｓ１００２）。
【００４８】
その後、図８に例を示したメニュー画面の出力要求をコマンド送受信部２３で受信すると（Ｓ１００３）、選択されたメニュー画面を映像信号に重畳して映像送信部２２から表示装置３に送信する（Ｓ１００４）。
【００４９】
その後、操作コマンド（制御コマンド）をコマンド送受信部２３で受信し（Ｓ１００５、終了操作コマンドか否かを判断する（Ｓ１００６）。終了操作コマンドでなければ（Ｓ１００６のＮｏ）、操作内容に応じてメニュー画面を更新し（Ｓ１００７）、Ｓ１００５へ戻る。終了操作であれば、メニュー表示を終了し（Ｓ１００８）、フローを終了する。
【００５０】
以上説明したように、本実施例によれば、映像出力装置２が複数のメニュー画面を出力可能な場合であっても、映像出力装置２を操作するためのリモコンなどの入力インタフェースを用いることなく、表示装置３の入力インタフェースであるリモコン３ａの操作により映像出力装置２にユーザの選択したメニュー画面を出力させ、操作することができる。
【実施例２】
【００５１】
実施例１では、メニュー画面の一覧画面を表示装置３の表示部３に表示してメニュー画面を選択させていたが、これに限られるものではない。以下、各メニュー画面を操作ボタンに対応付ける実施形態について説明する。
【００５２】
図１乃至図３を参照して説明した映像出力装置２及び表示装置３の構成及び動作については、実施例１とほぼ同様であるので説明を省略する。
しかし、実施例１のメイン処理部３１は、メニュー画面の一覧を表示し、ユーザに選択させる機能を有していたが、本実施例２のメイン処理部３１はその代わりに、リモコン３ａが有する操作ボタンと、映像出力装置２が出力する各メニュー画面とを対応付ける機能を有する。
【００５３】
図１１に、ユーザが操作する、表示装置３の入力インタフェースであるリモコン３ａの例を示す。
リモコン３ａは、電源ボタン３０１、チャネルボタン３０２、音量調節ボタン３０３等と共に、例えば映像出力装置２によるＤＶＤやＨＤＤ等といった記憶媒体に記憶されたデータを再生する再生処理を制御するための再生ボタン３０５、早送りボタン３０６、巻戻しボタン３０７、停止ボタン３０８、一時停止ボタン３０９も有する。
【００５４】
さらに、リモコン３ａは、其々赤色、オレンジ色、黄色、緑色、青色の色を持つ操作ボタン３１１乃至３１５も有する。
これらの操作ボタン３１１乃至３１５には、図１２に示す処理を行うことにより、映像出力装置２が出力可能な操作ボタンと１対１に対応付けることができる。
図１２は、本実施例における表示装置３の動作を示すフローチャートである。
まず表示装置３のコマンド送信部３３は、メニュー画面のリストを要求する、図５に例を示した制御コマンドを映像出力装置２に送信する（Ｓ１２０１）。
その応答として映像出力装置２が送信する、図６に例を示したメニュー画面のリストを示す制御コマンドをコマンド送受信部３３で受信すると（Ｓ１２０２）、メイン処理部３１は、各メニュー画面とリモコン３ａの操作ボタン３１１乃至３１５とを対応付ける（Ｓ１２０３）。
【００５５】
このとき、メイン処理部３１は、表示部３５に対応付けた結果を表示するようにしてもよい。図１３は、メイン処理部３１が表示部３５に表示させる表示画面の例である。
【００５６】
表示画面７１は、赤色の操作ボタン３１１を「見るナビ」のメニュー画面に、橙色の操作ボタン３１２を「録るナビ」のメニュー画面に、黄色の操作ボタン３１３を「番組ナビ」のメニュー画面に、緑色の操作ボタン３１４を「編集ナビ」のメニュー画面に、青色の操作ボタン３１５を「簡単ナビ」のメニュー画面に其々対応付けたことをユーザに知らせることができる。
【００５７】
この後、メニュー画面を表示するための操作ボタン３１１乃至３１５のいずれかをユーザが押下した場合には（Ｓ１２０４のＹｅｓ）、選択されたメニュー画面の出力を要求する図８に例を示した制御コマンドを、コマンド送受信部３３は映像出力装置２に送信する（Ｓ１２０５）。
【００５８】
映像出力装置３は当該要求に応じてメニュー画面を映像信号に重畳して出力するので、映像受信部３４から入力される当該メニュー画面の映像を、表示部３５に表示する（Ｓ１２０６）。
【００５９】
さらに、リモコン通信部３２で受信するリモコン３ａからの操作信号を確認し（Ｓ１２０７）、捜査終了であればフローを終了し、そうでなければＳ１２０７移行を繰り返す。
【００６０】
以上説明したように、本実施例によれば、映像出力装置２が複数のメニュー画面を出力可能な場合であっても、映像出力装置２を操作するためのリモコンなどの入力インタフェースを用いることなく、表示装置３の入力インタフェースであるリモコン３ａの操作により映像出力装置２にユーザの選択したメニュー画面を出力させ、操作することができる。
【００６１】
さらに本実施例では、各操作ボタンと映像出力装置２が出力するメニュー画面とを１対１で対応付けているため、ユーザはリモコン３ａへの１度の操作で、所望のメニュー画面を表示させることができるようになる。
【図面の簡単な説明】
【００６２】
【図１】本発明の実施例１に係る映像出力装置及び表示装置が使用される通信システムの構成を示す図。
【図２】本発明の実施例１に係る映像出力装置の概略構成を示すブロック図。
【図３】本発明の実施例１に係る表示装置の概略構成を示すブロック図。
【図４】本発明の実施例１に係る通信システムのメニュー画面の選択動作の処理を説明するための図。
【図５】本発明の実施例１に係る制御装置が送信する制御コマンドの例を示す図。
【図６】本発明の実施例１に係る映像出力装置が送信する制御コマンドの例を示す図。
【図７】本発明の実施例１に係る表示装置が表示する表示画面の例を示す図。
【図８】本発明の実施例１に係る表示装置が送信する制御コマンドの例を示す図。
【図９】本発明の実施例１に係る表示装置の処理の流れを示すフローチャート。
【図１０】本発明の実施例１に係る映像出力装置の動作を示すフローチャート。
【図１１】本発明の実施例２に係る表示装置のリモコンの外観を示す図。
【図１２】本発明の実施例２に係る表示装置の処理の流れを示すフローチャート。
【図１３】本発明の実施例２に係る表示装置が表示する表示画面の例を示す図。
【符号の説明】
【００６３】
１・・・通信システム
２・・・映像出力装置
３・・・表示装置
３ａ・・・リモコン
４・・・ＨＤＭＩ信号線
４ａ・・・映像送信線、映像受信線
４ｂ・・・アドレス受信線、アドレス送信線
４ｃ・・・コマンド送受信線
２１・・・メイン処理部
２２・・・映像送信部
２３・・・コマンド送受信部
３１・・・メイン処理部
３２・・・リモコン通信部
３３・・・コマンド送受信部
３４・・・映像受信部
３５・・・表示部
４０・・・メニュー画面のリスト
７０・・・メニュー画面の一覧表示画面
７１・・・表示画面
３０１・・・電源ボタン
３０２・・・チャネルボタン
３０３・・・音量調節ボタン
３０５・・・再生ボタン
３０６・・・早送りボタン
３０７・・・巻戻しボタン
３０８・・・停止ボタン
３０９・・・一時停止ボタン
３１０・・・カーソル移動ボタン
３１１・・・赤色操作ボタン
３１２・・・オレンジ色操作ボタン
３１３・・・黄色操作ボタン
３１４・・・緑色操作ボタン
３１５・・・青色操作ボタン
【図１】
2008089887.tif 000003
【図２】
2008089887.tif 000004
【図３】
2008089887.tif 000005
【図４】
2008089887.tif 000006
【図５】
2008089887.tif 000007
【図６】
2008089887.tif 000008
【図７】
2008089887.tif 000009
【図８】
2008089887.tif 000010
【図９】
2008089887.tif 000011
【図１０】
2008089887.tif 000012
【図１１】
2008089887.tif 000013
【図１２】
2008089887.tif 000014
【図１３】
2008089887.tif 000015